(57)【要約】【課題】被収納物品を容易に取り出すことができるのは勿論のこと、被収納物品を容易に補充することができる収納ケースを提供する。【解決手段】収納ケース本体２の収納部２ａを塞ぐ蓋体３を、一側板部５に開閉可能に連設される第１の分割蓋体部１１と、他側板部６に開閉可能に連設される第２の分割蓋体部１２とにより分割構成してなる収納ケース１であって、収納部２ａ内に収納された被収納物品を取り出すための取出し口１５を、第１の分割蓋体部１１と第２の分割蓋体部１２とを閉じ合わせた際における各重ね代部１１ａ，１２ａの間の閉合部を切り欠くことで形成し、これら分割蓋体部１１，１２を閉じ合わせた状態を保持するために、各重ね代部１１ａ，１２ａを各分割蓋体部１２，１１に固定手段２０で着脱可能に固定するものとする。【選択図】図１
0003199135.tif 000002
【実用新案登録請求の範囲】
【請求項１】
互いに対向する一対の側板部およびそれら側板部と直角をなして互いに対向する一対の端板部が四角形状の底板部の四辺に連設されて被収納物品を収納するための収納部が形成されてなる収納ケース本体と、前記収納部を塞ぐ蓋体とを備え、前記蓋体を、前記一対の側板部のうちの一方側の側板部に開閉可能に連設される第１の分割蓋体部と、前記一対の側板部のうちの他方側の側板部に開閉可能に連設される第２の分割蓋体部とにより分割構成してなる収納ケースであって、
前記第１の分割蓋体部は、前記一対の端板部のうちの一方側の端板部寄りに配されて前記第２の分割蓋体部に対し重ね合わせ可能な重ね代部を有するとともに、前記第２の分割蓋体部は、前記一対の端板部のうちの他方側の端板部寄りに配されて前記第１の分割蓋体部に対し重ね合わせ可能な重ね代部を有し、
前記収納部内に収納された被収納物品を取り出すための取出し口を、前記第１の分割蓋体部と前記第２の分割蓋体部とを閉じ合わせた際における前記各重ね代部の間の閉合部を切り欠くことで形成し、
前記第１の分割蓋体部と前記第２の分割蓋体部とを閉じ合わせた状態を保持するために、前記各重ね代部を重ね合わせ相手の各分割蓋体部に固定手段で着脱可能に固定したことを特徴とする収納ケース。
【請求項２】
前記第１の分割蓋体部は、前記一対の端板部のうちの他方側の端板部に隣接する部位が前記第２の分割蓋体部の基部近傍にまで延びる形状とされることで形成される幅広形状部を有するとともに、前記第２の分割蓋体部は、前記一対の端板部のうちの一方側の端板部に隣接する部位が前記第１の分割蓋体部の基部近傍にまで延びる形状とされることで形成される幅広形状部を有し、前記第１の分割蓋体部における前記幅広形状部と前記他方側の端板部とを結合するとともに、前記第２の分割蓋体部における前記幅広形状部と前記一方側の端板部とを結合したことを特徴とする請求項１に記載の収納ケース。
【請求項３】
前記収納ケース本体の一方側の端部から前記底板部の外表面側を通って前記収納ケース本体の他方側の端部に架け渡し可能で前記収納ケース本体の一方側の端部に一端部が固定される掛けベルトを備え、この掛けベルトは、当該掛けベルトの他端部を当該掛けベルトの一端部に係止する状態と、当該掛けベルトの他端部を前記収納ケース本体の他方側の端部に係止する状態とを切換可能な係止手段により、前記収納ケース本体の一方側の端部で輪状を成した状態と、前記底板部の外表面側で前記収納ケース本体の一方側の端部と他方側の端部との間に架け渡された状態とを切換可能としたことを特徴とする請求項１または２に記載の収納ケース。
【考案の詳細な説明】
【技術分野】
【０００１】
本考案は、例えば厚さの薄い可撓性のフィルム状や袋状の被収納物品を所定量まとめて収納できて必要に応じて少しずつ取り出せるようにした収納ケースに関し、特に、キッチン周りで使用される水切りネットを収納するのに用いられて好適な収納ケースに関するものである。
【背景技術】
【０００２】
従来、生ごみ用の水切りネットは、例えばキッチンの近傍に設置された収納棚等に収納されており、必要に応じてその収納棚から水切りネットを取り出し、取り出した水切りネットを排水口に装着したり、一般に「三角コーナー」と称される生ごみの水切り容器に装着したりして使用されている。
しかし、水切りネットを使用するたびに、収納棚等から水切りネットを取り出すのが面倒であるため、水切りネットを所定量まとめて収納できて必要に応じて少しずつ取り出せるようにした収納ケースをキッチン周り設置することが望まれている。
上記のような機能を備えた収納ケースとして、例えば特許文献１に示されるようなティッシュペーパーケースと同構造のものが考えられえる。
【先行技術文献】
【特許文献】
【０００３】
【特許文献１】特開平９−４００３９号公報
【０００４】
上記特許文献１に係るティッシュペーパーケースは、軟質塩化ビニールなどの材料からなるケース本体を備え、ケース本体の一側部にファスナーの操作で開閉可能な挿入口を設け、ケース本体の両端にそれぞれマチを設け、ケース本体の片面にティッシュペーパを１枚ずつ取り出すための取出し口を設けてなるものである。
このティッシュペーパーケースにおいては、ケース本体の一側部に設けられた挿入口をファスナーの操作にて開き、開かれた挿入口を通して４０〜１００枚のティッシュペーパの束をケース本体内に入れて補充するようにしている。
【０００５】
しかしながら、上記のティッシュペーパーケースでは、ケース本体の一側部に設けられたティッシュペーパ補充用の挿入口が、ケース本体の一側部に切れ目を入れることで形成されるようなスリット状のものであるため、補充時に挿入口をそれほど大きく開口することができず、ティッシュペーパを容易に補充することができないという問題点がある。
なお、このティッシュペーパーケースにおいて、被収納物品をティッシュペーパから水切りネットに変更した場合でも、上記と同様の問題点があるのは言うまでもない。したがって、水切りネット収納用の収納ケースとして、上記のティッシュペーパーケースと同構造のものをそのまま採用することはできず、改良の余地があると言える。
【考案の概要】
【考案が解決しようとする課題】
【０００６】
本考案は、前述のような問題点に鑑みてなされたもので、被収納物品を容易に取り出すことができるのは勿論のこと、被収納物品を容易に補充することができる収納ケースを提供することを目的とするものである。
【課題を解決するための手段】
【０００７】
前記目的を達成するために、本考案による収納ケースは、
互いに対向する一対の側板部およびそれら側板部と直角をなして互いに対向する一対の端板部が四角形状の底板部の四辺に連設されて被収納物品を収納するための収納部が形成されてなる収納ケース本体と、前記収納部を塞ぐ蓋体とを備え、前記蓋体を、前記一対の側板部のうちの一方側の側板部に開閉可能に連設される第１の分割蓋体部と、前記一対の側板部のうちの他方側の側板部に開閉可能に連設される第２の分割蓋体部とにより分割構成してなる収納ケースであって、
前記第１の分割蓋体部は、前記一対の端板部のうちの一方側の端板部寄りに配されて前記第２の分割蓋体部に対し重ね合わせ可能な重ね代部を有するとともに、前記第２の分割蓋体部は、前記一対の端板部のうちの他方側の端板部寄りに配されて前記第１の分割蓋体部に対し重ね合わせ可能な重ね代部を有し、
前記収納部内に収納された被収納物品を取り出すための取出し口を、前記第１の分割蓋体部と前記第２の分割蓋体部とを閉じ合わせた際における前記各重ね代部の間の閉合部を切り欠くことで形成し、
前記第１の分割蓋体部と前記第２の分割蓋体部とを閉じ合わせた状態を保持するために、前記各重ね代部を重ね合わせ相手の各分割蓋体部に固定手段で着脱可能に固定したことを特徴とするものである（第１考案）。
【０００８】
本考案において、前記第１の分割蓋体部は、前記一対の端板部のうちの他方側の端板部に隣接する部位が前記第２の分割蓋体部の基部近傍にまで延びる形状とされることで形成される幅広形状部を有するとともに、前記第２の分割蓋体部は、前記一対の端板部のうちの一方側の端板部に隣接する部位が前記第１の分割蓋体部の基部近傍にまで延びる形状とされることで形成される幅広形状部を有し、前記第１の分割蓋体部における前記幅広形状部と前記他方側の端板部とを結合するとともに、前記第２の分割蓋体部における前記幅広形状部と前記一方側の端板部とを結合するのが好ましい（第２考案）。
【０００９】
本考案において、前記収納ケース本体の一方側の端部から前記底板部の外表面側を通って前記収納ケース本体の他方側の端部に架け渡し可能で前記収納ケース本体の一方側の端部に一端部が固定される掛けベルトを備え、この掛けベルトは、当該掛けベルトの他端部を当該掛けベルトの一端部に係止する状態と、当該掛けベルトの他端部を前記収納ケース本体の他方側の端部に係止する状態とを切換可能な係止手段により、前記収納ケース本体の一方側の端部で輪状を成した状態と、前記底板部の外表面側で前記収納ケース本体の一方側の端部と他方側の端部との間に架け渡された状態とを切換可能とするのが好ましい（第３考案）。
【考案の効果】
【００１０】
本考案の収納ケースによれば、第１の分割蓋体部および第２の分割蓋体部における各重ね代部を重ね合わせ相手の各分割蓋体部に固定する固定手段によってそれら分割蓋体部が閉じ合わされた状態が保持されて取出し口の形状が保たれるので、その取出し口を通して被収納物品を容易に取り出すことができる。また、その固定手段による固定状態を解除することにより、第１の分割蓋体部を開くことができるとともに、第２の分割蓋体部を開くことができ、これによって収納ケース本体が大きく開口されるので、収納ケース本体の収納部に対して被収納物品を容易に補充することができる。
【００１１】
また、第２考案の構成を採用することにより、収納ケース本体における一方側の端板部が第２の分割蓋体部における幅広形状部を介してその第２の分割蓋体部によって支持されるとともに、収納ケース本体における他方側の端板部が第１の分割蓋体部における幅広形状部を介してその第１の分割蓋体部によって支持されるので、例えば収納ケース本体の収納部に被収納物品を詰め込みすぎた場合や、収納ケース本体における一方側または他方側の端板部を下方に向けて浮かした状態で設置するような使用形態の場合において、収納ケース本体における一方側または他方側の端板部が被収納物品によって押されてもその押圧力に十分に対抗することができ、被収納物品が一方側または他方側の端板部を越えて収納ケース本体の外側にはみだすのを確実に防ぐことができる。
【００１２】
また、第３考案の構成を採用することにより、掛けベルトは、収納ケース本体の一方側の端部で輪状を成した状態と、底板部の外表面側で収納ケース本体の一方側の端部と他方側の端部との間に架け渡された状態とを切換可能とされるので、収納ケース本体の一方側の端部で輪状を成した状態の掛けベルトを、例えばキッチン周りの壁面に取り付けられたフックに掛け止めるようにすれば、収納ケースをキッチン周りの壁面に沿って吊り下げるように設置することができるとともに、例えば複数本のパイプ材を並設した構造の吊り棚に対して、適宜本数のパイプ材上に掛けベルトを回した状態で収納ケース本体の両端部に架け渡すようにすれば、吊り棚の下面側に設置することができ、設置方法を容易に切り換えることができる。
【図面の簡単な説明】
【００１３】
【図１】本考案の一実施形態に係る収納ケースを示す蓋体側から見た全体斜視図で、（ａ）は蓋体が閉じた状態図、（ｂ）は蓋体が開いた状態図である。
【図２】同収納ケースを示す底板部側から見た全体斜視図で、（ａ）は底板部の外表面側で収納ケース本体の一方側の端部と他方側の端部との間に掛けベルトが架け渡された状態図、（ｂ）は収納ケース本体の一方側の端部で掛けベルトが輪状を成した状態図である。
【考案を実施するための形態】
【００１４】
次に、本考案による収納ケースの具体的な実施の形態について、図面を参照しつつ説明する。
【００１５】
＜収納ケースの概略説明＞
図１（ａ）および（ｂ）に示される収納ケース１は、合成繊維等からなる布や合成樹脂フィルム、紙、アルミ箔等（またはこれらを適宜に組み合わせたもの）の柔軟なシート状の材料によって略全体が構成されており、厚さの薄い可撓性のフィルム状や袋状の被収納物品（例えばティッシュペーパや水切りネット、ごみ袋等）、ここでは一例としてキッチン周りで使用される水切りネット（図示省略）を、収納するのに用いられて好適なものである。この収納ケース１は、所定量（例えば２０〜４０枚程度）の水切りネットを大雑把に集合させて塊状とした状態で収納可能な収納部２ａ（図１（ｂ）参照）を有する収納ケース本体２と、この収納ケース本体２に一体的に設けられて収納部２ａを塞ぐ蓋体３とを備え、水切りネットを所定量まとめて収納できて必要に応じて少しずつ（１枚ずつ）取り出せることができるようになっている。
【００１６】
＜収納ケース本体の説明＞
図１（ｂ）に示されるように、収納ケース本体２は、長方形状の底板部４と、底板部４における一対の長辺上に対向配置される一方側の側板部５および他方側の側板部６と、底板部４における一対の短辺上に対向配置される一方側の端板部７および他方側の端板部８とを有し、互いに隣接する板部４，５，６，７，８同士が一体的に連設されることで構成され、底板部４上で四つの板部５，６，７，８で囲まれた内側に収納部２ａが区画形成されている。
以下においては、一方側の側板部５を「一側板部５」と、他方側の側板部６を「他側板部６」と、一方側の端板部７を「一端板部７」と、他方側の端板部８を「他端板部８」と、それぞれ称することとする。
【００１７】
各側板部５，６および各端板部７，８には、それぞれ所要の折り筋が付されており、これら板部５〜８は、折り筋に沿って折り曲げれば扁平状に折り畳まれる一方、折畳状態から折り筋に沿って展開すれば、起立状態となるようにされており、いわゆるマチの役目をする。
収納ケース１の使用時には、マチの機能を有する板部５〜８を起立状態にする。一方、不使用時には、マチの機能を有する板部５〜８を折り畳むことにより、収納ケース１の全体を扁平状のコンパクトな形態とすることができ、次回に使用するときまで収納ケース１を例えば収納棚等の隙間スペースを利用して片付けることができる。
【００１８】
＜蓋体の説明＞
蓋体３は、一側板部５に開閉可能に一体的に連設される第１の分割蓋体部１１と、他側板部６に開閉可能に一体的に連設される第２の分割蓋体部１２とにより分割構成されている。
【００１９】
第１の分割蓋体部１１は、一端板部７寄りに配されて第２の分割蓋体部１２上に重ね合わせ可能となるように舌状に突出した形状に形成される重ね代部１１ａを有している。同様に、第２の分割蓋体部１２は、他端板部８寄りに配されて第１の分割蓋体部１１上に重ね合わせ可能となるように舌状に突出した形状に形成される重ね代部１２ａを有している。
【００２０】
第１の分割蓋体部１１は、他端板部８に隣接する部位が第２の分割蓋体部１２の基部近傍にまで角（つの）状に延びる形状とされることで形成される幅広形状部１１ｂを有している。同様に、第２の分割蓋体部１２は、一端板部７に隣接する部位が第１の分割蓋体部１１の基部近傍にまで角状に延びる形状とされることで形成される幅広形状部１２ｂを有している。
【００２１】
第１の分割蓋体部１１における幅広形状部１１ｂは、他端板部８と一体的に結合される一方、第２の分割蓋体部１２における幅広形状部１２ｂは、一端板部７と一体的に結合されており、一端板部７が幅広形状部１２ｂを介して第２の分割蓋体部１２によって支持されるとともに、他端板部８が幅広形状部１１ｂを介して第１の分割蓋体部１１によって支持されている。
こうすることにより、例えば収納部２ａに水切りネットを詰め込みすぎた場合や、一端板部７または他端板部８を下方に向けて浮かした状態で収納ケース１を設置するような使用形態の場合において、一端壁板部７または他端壁板部８が水切りネットによって押されてもその押圧力に十分に対抗することができ、水切りネットが一端板部７または他端板部８を越えて収納ケース本体２の外側にはみだすのを確実に防ぐことができる。
【００２２】
第１の分割蓋体部１１における重ね代部１１ａと幅広形状部１１ｂとの間には、円弧状に切り欠かれた円弧状切欠き部１１ｃが形成されている。同様に、第２の分割蓋体部１２における重ね代部１２ａと幅広形状部１２ｂとの間にも、円弧状に切り欠かれた円弧状切欠き部１２ｃが形成されている。こうして、第１の分割蓋体部１１と前記第２の分割蓋体部１２とを閉じ合わせた際における各重ね代部１１ａ，１２ａの間の閉合部が長楕円状に切り欠かれることになり、第１の分割蓋体部１１および第２の分割蓋体部１２のそれぞれの円弧状切欠き部１１ｃ，１２ｃの組み合わせによって、収納部２ａ内に収納された水切りネットを取り出すための取出し口１５が形成される。
【００２３】
＜固定手段の説明＞
第１の分割蓋体部１１と第２の分割蓋体部１２とを閉じ合わせた状態を保持するために、各重ね代部１１ａ，１２ａを重ね合わせ相手の各分割蓋体部１２，１１に固定する固定手段２０が設けられている。
この固定手段２０は、係合凸部を有する雄スナップボタン２１と、その係合凸部と係合可能な係合凹部を有する雌スナップボタン２２とを備え、雌スナップボタン２２を各重ね代部１１ａ，１２ａに取り付け、各重ね代部１１ａ，１２ａを重ね合わせ相手の分割蓋体部１２，１１に重ね合わせる際に雌スナップボタン２２に対応するように位置に雄スナップボタン２１を各分割蓋体部１１，１２に取り付けて構成されている。
この固定手段２０においては、雄スナップボタン２１の係合凸部が雌スナップボタン２２の係合凹部に嵌り込むように雄スナップボタン２１と雌スナップボタン２２とを押し付けることにより、雄スナップボタン２１と雌スナップボタン２２とが係合して各重ね代部１１ａ，１２ａを重ね合わせ相手の各分割蓋体部１２，１１に固定することができるようになっている。
なお、係合状態の雄スナップボタン２１と雌スナップボタン２２との間に引離し力が所定値を超えて作用するように雄スナップボタン２１に対して雌スナップボタン２２を引き離す操作を行うことにより、雄スナップボタン２１と雌スナップボタン２２との係合状態が解除されて、固定手段２０による各重ね代部１１ａ，１２ａと重ね合わせ相手の各分割蓋体部１２，１１との固定状態を解除することができる。
【００２４】
＜掛けベルトの説明＞
図２（ａ）に示されるように、収納ケース本体２には、底板部４の外表面側で当該収納ケース本体２の一方側の端部と他方側の端部との間に架け渡し可能な掛けベルト２５が装着されている。
掛けベルト２５の一端部は、係合凸部を有する雄スナップボタン２６を介して底板部４の一端部に固定され、掛けベルト２５の他端部には、その係合凸部と係合可能な係合凹部を有する雌スナップボタン２７が取り付けられ、収納ケース本体２の他端板部８には、その雌スナップボタン２７の係合凹部と係合可能な係合凸部を有する雄スナップボタン２８が取り付けられている。
これら雄スナップボタン２６，２８および雌スナップボタン２７により、掛けベルト２５の他端部を掛けベルト２５の一端部に係止する状態と、掛けベルト２５の他端部を収納ケース本体２の他方側の端部に係止する状態とを切換可能な係止手段３０が構成されている。
図２（ａ）に示されるように、雌スナップボタン２７と雄スナップボタン２８とを係合させれば、掛けベルト２５の他端部と収納ケース本体２の他方側の端部とが係止されて底板部４の外表面側で収納ケース本体２の一方側の端部と他方側の端部との間に掛けベルト２５が架け渡された状態とすることができ、図２（ｂ）に示されるように、雄スナップボタン２６と雌スナップボタン２７とを係合させれば、掛けベルト２５の一端部と他端部とが係止されて収納ケース本体２の一方側の端部で掛けベルト２５が縦長の輪状を成した状態とすることができ、係止手段３０の操作により、掛けベルト２５の輪状態と架設状態とを容易に切り換えることができる。
【００２５】
以上に述べたように構成される収納ケース１によれば、図１（ａ）に示されるように、第１の分割蓋体部１１および第２の分割蓋体部１２における各重ね代部１１ａ，１２ａを重ね合わせ相手の各分割蓋体部１２，１１に固定する固定手段２０によってそれら分割蓋体部１１，１２が閉じ合わされた状態が保持されて取出し口１５の形状が保たれるので、その取出し口１５を通して水切りネットを少しずつ（１枚ずつ）容易に取り出すことができる。また、図１（ｂ）に示されるように、その固定手段２０による固定状態を解除することにより、第１の分割蓋体部１１を一側に大きく開くことができるとともに、第２の分割蓋体部１２を他側に大きく開くことができ、これによって収納ケース本体２が大きく開口されるので、収納ケース本体２の収納部２ａに対して複数の水切りネットを纏めて容易に補充することができる。
【００２６】
また、掛けベルト２５は、係止手段３０の操作により、掛けベルトの架設状態（図２（ａ）参照）と掛けベルトの輪状態（図２（ｂ）参照）とを切り換えることができるので、図２（ｂ）に示されるように、収納ケース本体２の一方側の端部で輪状を成した状態に係止された掛けベルト２５を、例えばキッチン周りの壁面に取り付けられたフックに掛け止めるようにすれば、収納ケース１をキッチン周りの壁面に沿って吊り下げるように設置することができるとともに、例えば複数本のパイプ材を並設した構造の吊り棚に対して、適宜本数のパイプ材上に掛けベルト２５を回した状態で図２（ａ）に示されるように、収納ケース本体２の両端部に架け渡すように係止すれば、吊り棚の下面側に設置することができ、設置方法を容易に切り換えることができる。
【００２７】
以上、本考案の収納ケースについて、一実施形態に基づいて説明したが、本考案は上記実施形態に記載した構成に限定されるものではなく、その趣旨を逸脱しない範囲において適宜その構成を変更することができるものである。
【００２８】
例えば、固定手段２０および係止手段３０として、雄雌のスナップボタン２１，２２，２６，２７，２８を用いた例を示したが、これに代えて、雄雌の面ファスナーや、磁石体と磁性体とを組み合わせたもの、あるいは異なる極性の磁石体を組み合わせたものなどを用いてもよい。
【産業上の利用可能性】
【００２９】
本考案の収納ケースは、被収納物品を容易に取り出すことができるのは勿論のこと、被収納物品を容易に補充することができるという特性を有していることから、例えば水切りネットやごみ袋などのようにキッチン周りで使用することが多い物品を所定量まとめて収納し必要に応じて少しずつ取り出す用途に好適に用いることができ、産業上の利用可能性が大である。
【符号の説明】
【００３０】
１      収納ケース
２      収納ケース本体
２ａ    収納部
３      蓋体
４      底板部
５      一側板部（一方側の側板部）
６      他側板部（他方側の側板部）
７      一端板部（一方側の端板部）
８      他端板部（他方側の端板部）
１１    第１の分割蓋体部
１１ａ  重ね代部
１１ｂ  幅広形状部
１１ｃ  円弧状切欠き部
１２    第２の分割蓋体部
１２ａ  重ね代部
１２ｂ  幅広形状部
１２ｃ  円弧状切欠き部
１５    取出し口
２０    固定手段
２５    掛けベルト
３０    係止手段
【図１】
0003199135.tif 000003
【図２】
0003199135.tif 000004